(57)【特許請求の範囲】
【請求項１】
一体化された警報マット（２）を有すると共に前記警報マット（２）が導電性フィラメント等で構成されている、セキュリティコンテナ及びセキュリティ空間用のシート材（１０）であって、
前記警報マット（２）はベースマット（２ａ）と補助マット（２ｂ）とを有し、前記ベースマット（２ａ）はメリヤス編みまたはかぎ針編みで得られる種類の基本的にループ状のフィラメントパターンを有し、前記ベースマット（２ａ）及び前記補助マット（２ｂ）は互いに密着配置されることによって警報マット（２）を形成し、前記ベースマット（２ａ）の前記フィラメントパターン及び前記補助マット（２ｂ）の前記フィラメントパターンが完全に一致した重なり状態から外れるようにし、
前記シート材（１０）は前記警報マット（２）に接合された少なくとも１つの外側層（１）を含むと共に平坦、湾曲または角形の形状を有することを特徴とするシート材。
【請求項２】
前記補助マット（２ｂ）は規則的または不規則的フィラメントパターンを有することを特徴とする請求項１に記載のシート材。
【請求項３】
前記ベースマット（２ａ）及び前記補助マット（２ｂ）はメリヤス編みまたはかぎ針編みで形成されており、前記マットのメッシュサイズが互いに異なっていることを特徴とする請求項１または２に記載のシート材。
【請求項４】
前記補助マット（２ｂ）のフィラメントは前記ベースマット（２ａ）のフィラメントの融点と異なる融点を有することを特徴とする請求項１〜３のいずれか一項に記載のシート材。
【請求項５】
前記シート材（１０）は不法アクセスから保護すべき物品の保管に使用し得るコンテナ（２０）または空間内のケーシングとして使用されることを特徴とする請求項１〜４のいずれか一項に記載のシート材の使用方法。
【請求項６】
前記シート材（１０）は重ね合わせて接合され、少なくとも前記ベースマット（２ａ）が警報システムに接続されていることを特徴とする請求項５に記載の使用方法。
【請求項７】
前記補助マット（２ｂ）は警報システムに接続されていることを特徴とする請求項６に記載の使用方法。
【請求項８】
前記シート材（１０）の前記警報マットの構造は、前記警報マット（２）の構造を分析することが困難となるように、コンテナ／空間（２０）毎に変化しているか、１つの同じコンテナ／空間（２０）内で変化していることを特徴とする請求項５〜７のいずれか一項に記載の使用方法。
【請求項９】
前記シート材（１０）の前記警報マット（２）の構造を分析することが困難となるように、前記シート材（１０）の前記警報マットの構造が変化していることを特徴とする請求項１〜４のいずれか一項に記載のシート材の製造方法。
【発明の詳細な説明】
【０００１】
【発明の属する技術分野】
この発明は、請求項１の前文に記載されたシート材に関する。この発明は、盗難に遭いやすい物品及び同様な物品の保管用のコンテナまたは空間内のケーシングまたは内張材料としてのシート材の使用方法にも関している。
【０００２】
国際公開ＷＯ９３／２３６４８号は、不法なアクセスから保護すべき物品を保管するために、警報発生手段を備えたセキュリティコンテナ内あるいは警報発生手段を装備したセキュリティ空間内のケーシング材料または内張材料として特に好都合に使用することができる、警報発生セキュリティマットを含んだシート材を開示している。
【０００３】
国際公開ＷＯ９３／２３６４８号に記載されたシート材は、メリヤス編みまたはかぎ針編み時に得られる種類の連続ステッチ、ループまたは網目に配置された、絶縁層を有する１本または複数本の導電性糸または同様な装置からなる警報マットを含んでいる。この構造の警報マットは、電磁力場、静電気、及び同様な現象から生じる干渉及び外乱に対して非常に大きい耐性を有する。
【０００４】
国際公開ＷＯ９３／２３６４８号に記載されたシート材に含まれるマットは網目が細かい構造であるため、糸またはワイヤを破断し、それによって警報を鳴らすことなく、また、例えばそのようなシート材を有するコンテナ内に保管された貴重品を破損させることなく、シート材を強引に開くことは非常に困難である。
【０００５】
この発明の目的は、上記警報マットよりも、強引に開くことがさらに困難であると共に不正な操作がさらに困難である改良型警報マットを含むシート材を提供することである。この目的は、併記の請求項に述べられた特徴機能を有するシート材で達成される。
【０００６】
この発明によって得られる多くの利点の内、シート材を薄壁にして軽量化することができ、それによって、シート材を使用した輸送コンテナに特に重量面での利点を与えることを挙げることができる。
【０００７】
この発明のシート材は、例えば、磁場、静電気、電波干渉、干渉波及び同様の現象の形の外部干渉を非常に効果的に処理できるように構成されている。
【０００８】
シート材に、例えば自立形コンテナを作製い得るほどの固有の剛性を与えることができる。
【０００９】
シート材は、所望の形状及び曲率に製造することができ、そのため、シート材によって複雑な形状のコンテナを製造することも可能である。
【００１０】
既存の空間や部屋などの壁をこの発明のシート材で覆うか、内張りすることによって、所望の盗難防止を行うことができる。
【００１１】
この発明のシート材は、電磁場、静電気及び同様の現象から生じる干渉に耐えてそれを消滅させる顕著な能力を有する警報マットを含み、それによって、迅速反応形の警報発生装置を得る可能性が高まる。
【００１２】
この発明のシート材は、抵抗測定をすることなく信頼性のある盗難保護のための状況を実現することができ、これによって、使用される警報発生装置の電流消費量が減少する。
【００１３】
この発明のシート材は、この発明の１つの具体的な実施の形態によれば、シート材を加熱するか、または他の温度依存操作処理によって、警報を鳴らさないでシート材に穿孔することを有効に防止するように構成された警報マットを含んでいる。
【００１４】
次に、例示する実施の形態及び添付の図面を参照しながら、この発明を説明する。
【００１５】
シート材１０は、第１外側層１と、警報マット２と、第２外側層３とを有する（図１及び図２参照）。
【００１６】
第１外側層１は、ガラス繊維マットまたは織物マットからなるが、別のタイプのマット、布、材料またはパネルも使用することができる。変更例として、第１外側層１を塗料またはゲルコーティングで構成してもよい。
【００１７】
警報マット２は、シート材１０に強引に穴を開けようとする試みを表示または検出するように構成されている。
【００１８】
この発明によれば、警報マット２は、ベースマット２ａ及び補助マット２ｂを有する。
【００１９】
ベースマット２ａは、例えば、メリヤス編み、かぎ針編みまたは織り地にした網目の細かいフィラメントマットからなっている。これに使用される材料は、例えば、金属または導電性プラスチック材料製の糸またはリボンの形にした導電性フィラメント４からなる。糸４は通常、絶縁層を含み、例えば、一般的に小型電気モータに使用される種類のワニス層で絶縁された銅線を有することができる。一例を挙げると、使用フィラメントは、直径が約０．２ｍｍで、網目密度すなわちメッシュサイズが約１ｍｍのワニス塗布銅線を有することができるが、この発明がこの例に制限されないことは理解されるであろう。光ファイバを使用することもできる。
【００２０】
ベースマット２ａの特徴は、ほぼ規則的なパターンにあり、１つの特に好適な実施の形態では、ベースマットは、例えば、メリヤス編みまたはかぎ針編み時に得られる種類のループ状パターンを有する。しかし、異なった製造及び構造のループ状パターンを使用することも考えられる。それぞれ隣接のループまたはリング内を電流が互いに逆方向に流れるループパターンまたはリングパターンは、例えば、磁場、静電気または電波及び同様の現象によって発生する警報発生回路内の干渉及び外乱を迅速に抑制／消滅させることから、減衰面または抑制面で特に有益である。
【００２１】
図３ａ〜図７ａは、ベースマット２ａの異なった実施の形態を示す。図３ａ〜図６ａがメリヤス編みパターンのベースマット２ａを示すのに対して、図７ａは異なった構造のループパターンを有するベースマット２ａを示している。
【００２２】
ベースマットの構造に関して多くの変更形が可能であり、印刷回路か、他の方法で適当なパターンに製造され、例えば、フォイル載置された回路も、この発明の範囲内で使用することができる。
【００２３】
補助マット２ｂは、規則的または不規則的のいずれのパターン及び形状でもよい。
【００２４】
補助マット２ｂは、例えば、メリヤス編み、かぎ針編みまたは織り地にした網目の細かいフィラメントマットにすることができる。これには、例えば、金属または導電性プラスチック材料製の糸、ワイヤまたはリボンの形にした導電性フィラメント５が使用される。フィラメント５は通常、絶縁層を備えている。例えば、小型電気モータに使用される種類の絶縁ワニス層を設けた銅線を使用することができる。また、限定されるものではないが、例えば、直径が約０．２ｍｍで、網目密度すなわちメッシュサイズが約１ｍｍのワニス塗布銅線を使用することができる。光ファイバを使用することも考えられる。
【００２５】
図３ｂは、図３ａのベースマット２ａとほぼ同一のフィラメント寸法及びメッシュサイズを有するメリヤス編み補助マット２ｂを示している。
【００２６】
図４ｂは、図４ａのベースマット２ａのメッシュサイズより大きいメッシュサイズのメリヤス編み補助マット２ｂを示している。フィラメント寸法は、ベースマット２ａ及び補助マット２ｂのフィラメント寸法とほぼ同一である。補助マット２ｂは、ベースマット２ａのメッシュサイズの約１．５倍〜１０倍のメッシュサイズを有することができる。
【００２７】
図５ｂは、幾つかの異なった方法で図５ａのベースマット２ａと一体化させることができる不規則的補助マット２ｂを示す。
【００２８】
図６ｂは、メリヤス編みではないが、ループ状構造の規則的補助マット２ｂを示している。図６ａは、メリヤス編みのベースマット２ａを示している。
【００２９】
図７ｂに示された補助マット２ｂは、どのような形状及び構造でもよい。図７ａは、ループ構造のベースマット２ａを示している。
【００３０】
補助マットの詳細な構造には多くの変更例が可能であり、印刷回路か、他の方法で適当なパターンに製造され、例えば、フォイルに載置された回路も、この発明の範囲内で使用することが考えられることは明らかである。
【００３１】
補助マット２ｂの１つの特徴は、それのパターン及び形状が規則的または不規則的のいずれでもよいことである。１つの特に好適な実施の形態では、補助マットは、メリヤス編みまたはかぎ針編みのループパターンを有する。しかし、メリヤス編みまたはかぎ針編みパターン以外のループパターンも使用することができる。互いに隣接したループ内を電流が互いに逆方向に流れるループパターンまたはリングパターンは、例えば、磁場、静電気、電波または同様の現象によって警報発生回路内に発生する干渉を迅速に減衰／消滅させる面から、特に有益である。不規則的パターン及び形状を有する補助マット２ｂは、規則的形状及びパターンのマットほどの良好な干渉減衰性を有していないが、少なくとも一部の用途では、ベースマット２ａと組み合わせて使用した時、その干渉減衰性を容認できるであろう。
【００３２】
したがって、この発明によれば、警報マット２は、図３ｃ〜図７ｃに示されているような、ベースマット−補助マット結合体で構成されている。
【００３３】
図３ｃは、図３ａのベースマット２ａと、ベースマット２ａの上に重ねられた図３ｂの補助マット２ｂとを有する警報マット２を示す。この場合、ベースマット２ａ及び補助マット２ｂは、ほぼ同一のパターン、形状及びサイズを有して、それらを互いに密着させるか、密着状に押し合わせることによって、警報マット２を形成することができる。図示の場合、補助マット２ｂがベースマット２ａに対して平行に変位しているので、結合マットから生じるパターンは非常に複雑に込み合って、警報マット２を完全なシート材または積層体１０内の一体層として含む場合、不正操作することが困難であろう。
【００３４】
図４ｃは、図４ａに示されたベースマット２ａ及び図４ｂに示された補助マット２ｂの結合体を有する警報マット２を示している。
【００３５】
図５ｃは、図５ａに示されたベースマット２ａ及び図５ｂに示された補助マット２ｂの結合体を有する警報マット２を示している。補助マット２ｂは、ベースマット２ａ上に載置されるだけか、例えば、それに縫い付けられるかのいずれでもよい。
【００３６】
図６ｃは、図６ａに示されたベースマット２ａ及び図６ｂに示された補助マット２ｂの結合体を有する警報マット２を示している。
【００３７】
図７ｃは、図７ａに示されたベースマット２ａ及び図７ｂに示された補助マット２ｂの結合体を有する警報マット２を示している。この発明の範囲内において多くの変更及び組み合わせが可能であることは、理解されるであろう
【００３８】
警報マット２のすべての実施の形態に共通の特徴は、ベースマット２ａ及び補助マット２ｂの密着結合または密着状の相互圧縮から得られる結合マットパターンの複雑さにある。警報マットが、通常は不透明の完成シート材１０内の圧縮層を構成する場合、警報マット２の構造は、分析することが特に困難である。
【００３９】
シート材の警報糸のない表面は、この発明のマット結合体の代わりにベースマットだけを使用した場合より小さいであろう。
【００４０】
この発明の範囲内において、ベースマット及び補助マットの多くの組み合わせが可能であることは、明らかである。ベースマット及び補助マットのパターン、サイズ及び取り付け向きは変更可能であり、必要に応じて種々の方法でマットを互いに接合することができる。警報マットをシート材内に組み込む時、マットを互いに接着しないで、マットを互いに密着状に置くか、相互に当接するように押しつければ、通常は十分であろう。
【００４１】
所望ならば、ベースマット及び／または補助マットが二重フィラメントを有してもよい。もちろん、警報マット内の電気回路の数は、この発明の範囲内において１つの電気回路から複数の電気回路まで変化させることができる。ベースマット及び補助マットは、要望及び必要に応じて、直列または並列に接続して警報発生回路に所望の電流を与えることができる。
【００４２】
ベースマット及び／または補助マット内のフィラメントは、フィラメント交差部分、すなわち、フィラメントが互いに接触する位置を絶縁するだけでよい。例えば、１つのマットを絶縁フィラメントで形成し、他方のマットにフィラメント交差部分がない場合、他方のマットは絶縁フィラメントを有する必要がない。しかし、実際上の理由から、すべてのフィラメントを絶縁することが好都合であるが、これは必須ではない。
【００４３】
警報マットまたはセキュリティマットに設ける予定の警報発生回路から補助マットを排除したり、ベースマット及び補助マットを互いに個別の警報発生回路及び／または警報発生装置に接続してもよいことは、理解されるであろう。もちろん、この発明の範囲内で種々の変更が可能である。
【００４４】
上記説明の該当部分は、光ファイバに適用可能であるが、必然的な適応が必要である。
【００４５】
この発明の警報マットは、電磁場、静電気、電波及び同様の現象から生じる干渉に対して非常に大きい耐性を有する。
【００４６】
網目密度、設けられる電気回路の数、可撓性などの警報発生マット２の技術的要件が、用いる製造方法を選択する際の制御要因になる。１つまたは複数の電気信号が、警報マット２を通して送られ、形成されたシート材１０に穴を強引に開けようとした場合、フィラメントが断線する結果、マット内の電気信号が中断されて、警報が始動する。同様に、光ファイバを使用している場合、同じことが光信号に当てはまる。
【００４７】
他方の表面層３は、第１外側層１と同一または同様な方法で適当に構成される。適当であれば、第２表面層３を薄いワニス層で構成してもよい。
【００４８】
ほとんどの場合、シート材１０は、表面層１が容器／空間の外面を形成し、表面３が容器の内側になるように用いられ、したがって、表面層は、仕上げ及び構成を変えることができる。
【００４９】
シート材１０を製造する際に、層１〜３は、例えば、接着、射出またはプレス加工処理によって互いに接合される。これには多くの種々の接着剤、例えば、ポリエステル樹脂または他の樹脂を使用することができ、それによって安定的なシート材を形成することができる。これに関連して、シート材は、平面的な基本形状に加えて、多くの種々の他の形状を有することができ、それらの接合部で互いに重なる２つの湾曲積層部品だけで構成されたセキュリティコンテナまたはセキュリティバッグを作ることもできる。図８は、このように構成された輸送コンテナまたはケース２０の一例を示す。
【００５０】
したがって、図８に示されたケース２０は、２つの特殊形状のこの発明によるシート材部品１０ａ及び１０ｂからなり、これらのシート材部品は、ケースを閉じた時にオーバーラップ領域２１で重なり合り、その間の隙間２２が可能な限り小さくなるように構成されている。ケース２０には、ケースの外側に接着されたハンドル２３や、接着式ヒンジ及びロック装置などが好都合に設けられており、シート材部品に穴が存在しない。オーバーラップ部分２１のすぐ内側に、多数の接点装置または検出装置２４、２５が配置されており、その装置２４はシート材部品１０ａに接着されたストリップ２６によって担持され、装置２５はシート材部品１０ｂに接着されたストリップ２７によって担持されている。ストリップ２６及び２７は好ましくは、ケースの全周にわたって延在して、適当数の接点装置２４、２５を担持することができる。シート材１０ａ及び１０ｂの警報マット２がセキュリティケージを形成しており、また、接点装置２４及び２５が、１つまたは複数の信号回路に含まれるように相互接続されている。ケースに強引に穴を開けようとする試みによって警報マット２内のフィラメント４、５が断線すると、信号回路が遮断される。この点で、アラームマット２がケースまたはコンテナ２０の全表面にわたって存在していることが理解されるであろう。当然ながら、部分２１で警報マットが重なっているであろう。ケースの内部にアクセスしようとして隙間２２を曲げて広げようとする場合も、信号回路が遮断され、そのため、電気回路の遮断が、この曲げ動作に伴って装置２４及び２５間の距離が変化することによる装置２４及び２５間の電気接触を中断する。
【００５１】
輸送コンテナまたはケース２０の内部には、電子装置と、例えば、染料が入ったカートリッジなど、破損剤が入った１つまたは複数のアンプルまたはカートリッジとが配置されている。電子装置は、信号回路が遮断されると、直ちに破損カートリッジを作動させて、コンテナ２０内の貴重品を破損するようになっている。警報システム／電子装置の作動及び停止は、高いセキュリティレベルを有する適当なコードシステムによって実施される。もちろん、コンテナは、電源も収容しているであろう。これに関連して、犯罪を犯そうとする者に対するストレス要因をさらに高めるために、破損剤が作動する時間を予め設定することもできる。
【００５２】
この発明のセキュリティコンテナ２０について、実際に実施された試験から、コンテナの穿孔防止としての機能に加えて、この発明の警報マット２は、例えば、種々のタイプの磁場、靜電場、電波及び同様の現象による外部干渉に対して特に有効なセキュリティ手段として機能することもわかっており、それは、これらの現象によって生じる電圧または干渉が非常に迅速に減衰して、電子装置の反応時間を非常に短時間にすることができるので、高速武器から弾丸を直接的に破損素子の作動手段に発射しても、破損剤をその作動前に無効にする時間がないからである。干渉減衰効果がこのように非常に迅速に得られるため、外部干渉による誤報の結果として破損剤が作動する危険性が低減される。多くの場合、１本のフィラメント及び１つの電気回路が、強力な磁場及び過渡電圧の形の外部干渉から十分に保護することができる。このように非常に有効なこの発明の警報マット２は、シート材１０からなるコンテナ２０の内部に設けられた電子装置及びコンピュータ機器などに対する干渉及び外乱を防止する。
【００５３】
この発明のシート材１０の使用に基づいて改良されたセキュリティシステムの製造には、種々の異なった可能性が存在することは、理解されるであろう。
【００５４】
したがって、上記ケースまたはコンテナ２０は、種々の種類の貴重品の輸送に使用するのに非常に適している。
【００５５】
したがって、この発明のシート材１０は、例えば構造物に強引に穴を開けることによるアクセスを防止したいコンテナ、部屋、あるいは他の可動または固定空間の構成に使用することができる。強引に穴を開けようとした場合、何らの形の破損剤が作動して、その空間内に保管されている物を無価値または使用不能にするか、警報を作動させるであろう。接合部及びドアには、オーバーラップ穴あけセキュリティが施されており、材料を曲げて分離しようとした場合に信号回路を遮断するように機能する接点が、接合部の内側に配置されている。電気回路の数を減らすように、これらの接点は適当にアラームマットに直列に接続されている。
【００５６】
限定されるものではないが、この発明のシート材は、例えば現金輸送などの貴重品の輸送用のケース、バッグまたは他のコンテナや、自動車及び飛行機用のセキュリティコンテナ、武器保管施設、安価な銀行金庫室などに使用することができる。
【００５７】
したがって、種々のコンテナ、場所及び空間に、この発明のシート材で構成されたシェルを設けて、警報または破損装置を作動させずに不法アクセスすることを不可能にすることができる。
【００５８】
この発明のシート材の構成をさまざまに変更できることは理解されるであろう。最も簡単な形のシート材は、外側層への警報マットの接着が十分に有効でありさえすれば、１つの警報マット及び１つの外側層だけで構成することができる。あるいは、所望ならば、シート材は、異なった種類の追加層を有することができる。もちろん、材料選択も変更することができる。約２〜５ｍｍの厚さが、適当なシート材厚さの一例であるが、そのシートがそのような厚さに制限されることはない。シート材は、明白な理由から、ほとんどの場合に不透明であろう。警報マットは、シート材内に適当に焼き付けまたは成形するか、それにしっかり接着してもよい。シート材は、補強手段を有してもよい。警報マットは、通常は連続的であって、シート材全体を覆う。
【００５９】
この発明の１つの特定の実施の形態では、ベースマット２ａ及び補助マット２ｂが、互いに異なった融点を有するフィラメントで構成されている。例えば、ベースマット２ａを銅線で構成し、補助マット２ｂを、銅線の融点と比べて比較的低い融点を有する金属ワイヤで構成することができる。加熱または他の温度上昇操作によって、警報を始動させることなくシート材に穿孔しようとする場合、最初に補助マットのワイヤが溶け、それによって警報を始動させる。もちろん、所望ならば、ベースマットのワイヤの融点を補助マットのワイヤの融点より低くすることもできる。
【００６０】
混乱を生じるために、連続電流の代わりに、可変パルス列をベースマット及び補助マットに送ってもよい。このことは、システムを不正操作しようとする試みにかかわる困難さをさらに強化する。
【００６１】
この発明のシート材を含む製品を連続生産する際に、混乱を生じるために、同一製品または製品プログラムにおいても、シート材内の警報マットの構造を連続的に変化させることができる。このように変化させることができることによって、警報マット構造のマッピングが不可能になり、それによって、非常に高いセキュリティレベルが得られる。
【００６２】
導電性フィラメントの代わりに、光伝送性光ファイバを使用した時、もちろん、周辺機器をそれに適応させる必要があり、電気回路に関する上記説明が代わりに光回路に適用されることを理解されたい。
【００６３】
この発明は、図示及び前述された実施の形態に制限されず、また、併記の請求項の範囲内で変化及び変更を考えることができることも理解されたい。
【図面の簡単な説明】
【図１】  この発明のシート材の構成を示す分解斜視図である。
【図２】  そのシート材の概略断面図である。
【図３ａ】  ベースマットの一部分の概略図である。
【図３ｂ】  補助マットの一部分の概略図である。
【図３ｃ】  完成した警報マットの一部分の概略図である。
【図４ａ】  この発明の警報マットの他の実施の形態を示す図である。
【図４ｂ】  この発明の警報マットの他の実施の形態を示す図である。
【図４ｃ】  この発明の警報マットの他の実施の形態を示す図である。
【図５ａ】  この発明の警報マットの他の実施の形態を示す図である。
【図５ｂ】  この発明の警報マットの他の実施の形態を示す図である。
【図５ｃ】  この発明の警報マットの他の実施の形態を示す図である。
【図６ａ】  この発明の警報マットの他の実施の形態を示す図である。
【図６ｂ】  この発明の警報マットの他の実施の形態を示す図である。
【図６ｃ】  この発明の警報マットの他の実施の形態を示す図である。
【図７ａ】  この発明の警報マットの他の実施の形態を示す図である。
【図７ｂ】  この発明の警報マットの他の実施の形態を示す図である。
【図７ｃ】  この発明の警報マットの他の実施の形態を示す図である。
【図８】  この発明のシート材で形成された輸送コンテナ／セキュリティコンテナの斜視図である。
【図９】  図８に示されたコンテナのシート材間の開閉可能な重なり接合部の１つの実施の形態の断面図である。
【図１】
0004834280.tif 000002
【図２】
0004834280.tif 000003
【図３ａ】
0004834280.tif 000004
【図３ｂ】
0004834280.tif 000005
【図３ｃ】
0004834280.tif 000006
【図４ａ】
0004834280.tif 000007
【図４ｂ】
0004834280.tif 000008
【図４ｃ】
0004834280.tif 000009
【図５ａ】
0004834280.tif 000010
【図５ｂ】
0004834280.tif 000011
【図５ｃ】
0004834280.tif 000012
【図６ａ】
0004834280.tif 000013
【図６ｂ】
0004834280.tif 000014
【図６ｃ】
0004834280.tif 000015
【図７ａ】
0004834280.tif 000016
【図７ｂ】
0004834280.tif 000017
【図７ｃ】
0004834280.tif 000018
【図８】
0004834280.tif 000019
【図９】
0004834280.tif 000020